【手続補正書】
【提出日】平成29年6月20日(2017.6.20)
【手続補正１】
【補正対象書類名】明細書
【補正対象項目名】００１８
【補正方法】変更
【補正の内容】
【００１８】
【図１】本発明に係るコネクタ及び電線ユニットの実施の形態の平断面Ａ及び側断面Ｂを模式的に示す断面図である。
【図２】図１のａ−ａ′における横断面を示す断面図である。
【図３】図１のａ−ａ′における他の横断面の例を示す断面図である。
【図４】本発明に係るコネクタ及び電線ユニットの実施の形態の平断面Ａ及び側断面Ｂを模式的に示す断面図である。
【図５】図４のｂ−ｂ′における横断面を示す断面図である。
【図６】図４のｂ−ｂ′における他の横断面の例を示す断面図である。
【図７】本発明に係るコネクタ及び電線ユニットの実施の形態の概略構成を部分的に透視して示す斜視図である。
【図８】本発明に係るコネクタ及び電線ユニットの実施の形態の外観を示す平面図Ａ及び正面図Ｂである。
【図９】本発明に係るコネクタ及び電線ユニットの実施の形態の外観を示す側面図である。
【手続補正２】
【補正対象書類名】明細書
【補正対象項目名】００２８
【補正方法】変更
【補正の内容】
【００２８】
オスコネクタ１２は、ピン形状の２個のオス端子１８及び３極のオス端子２３が、接続面で（２＋３）極×２列に配列されるように埋め込まれている（但し、ここでは１列分のオス端子１８，２３と１極のオス端子２３は空である）。ハウジング１４の厚さ方向（ツイストペア線１９の長さ方向）は、図４に示すように、オス端子１８，２３の長さより僅かに大きくしてある。
オス端子１８のツイストペア線１９に接続された側の約１／２、及びオス端子２３の一般電線２４に接続された側の約１／２は、ハウジング１４に埋め込まれ、残りのそれぞれ１／２は、メスコネクタ１１を嵌入する為の凹部１４ａへ突出している。
【手続補正３】
【補正対象書類名】明細書
【補正対象項目名】００３１
【補正方法】変更
【補正の内容】
【００３１】
このような構成のコネクタ及び電線ユニットでは、メスコネクタ１１が、オスコネクタ１２の凹部１４ａに嵌入されると、ピン形状の各オス端子１８，２３は、筒形状の各メス端子１５，２１とそれぞれ嵌合して接続する。この際、対応するメス端子囲繞導体１７及びオス端子囲繞導体２０もそれぞれ接続され、メス端子１５の対及びオス端子１８の対は、メス端子囲繞導体１７、オス端子囲繞導体２０により囲繞される。
これにより、電線ユニットのコネクタ部分において、特性インピーダンスが大きく変化せず、クロストーク特性およびノーマル・コモン変換特性が悪化せず、外乱ノイズに対する耐性が高くなる。
【手続補正４】
【補正対象書類名】明細書
【補正対象項目名】００３３
【補正方法】変更
【補正の内容】
【００３３】
（実施の形態３）
図７は、本発明に係るコネクタ及び電線ユニットの実施の形態３の概略構成を部分的に透視して示す斜視図であり、図８は、実施の形態３の外観を示す平面図Ａ及び正面図Ｂであり、図９は、実施の形態３の外観を示す側面図である。
このコネクタ及び電線ユニットは、１対のツイストペア線３６が接続され、直方体形状のハウジング３３を有するオスコネクタ３１と、１対のツイストペア線３９が接続され、略直方体形状のハウジング３４を有するメスコネクタ３２とを備えている。
【手続補正５】
【補正対象書類名】明細書
【補正対象項目名】００３４
【補正方法】変更
【補正の内容】
【００３４】
オスコネクタ３１は、筒形状の２極のオス端子３５が、ハウジング３３の断面長尺方向に配列されるように、ハウジング３３に埋め込まれている。２極のオス端子３５は、筒形状のオス端子囲繞導体３７により囲繞され、ツイストペア線３６に接続されている。２極のオス端子３５とそれを囲繞するオス端子囲繞導体３７とは、断面視が、２極のオス端子３５の中間線を対称軸とする線対称形状をなしており、オス端子囲繞導体３７は、他とは絶縁された状態で、ハウジング３３に埋め込まれている。
ハウジング３３のオス端子囲繞導体３７以外のスペースには、筒形状のオス端子２１ａがハウジング３３の断面長尺方向に６極配列されたものが２列埋め込まれている。ここでは、オス端子２１ａには配線していない。
【手続補正６】
【補正対象書類名】明細書
【補正対象項目名】００３５
【補正方法】変更
【補正の内容】
【００３５】
メスコネクタ３２は、先端部がピン形状の２極のメス端子３８が、２極のオス端子３５にそれぞれ対応するように、ハウジング３４の断面長尺方向に配列され、ハウジング３４に埋め込まれている。２極のメス端子３８は、筒形状のメス端子囲繞導体４０により囲繞され、ツイストペア線３９に接続されている。２極のメス端子３８とそれを囲繞するメス端子囲繞導体４０とは、断面視が、２極のメス端子３８の中間線を対称軸とする線対称形状をなしており、メス端子囲繞導体４０は、他とは絶縁された状態で、ハウジング３４に埋め込まれている。
【手続補正７】
【補正対象書類名】明細書
【補正対象項目名】００３６
【補正方法】変更
【補正の内容】
【００３６】
ハウジング３４のメス端子囲繞導体４０外のスペースには、先端がピン形状のメス端子２３ａがハウジング３４の断面長尺方向に６極配列されたものが２列埋め込まれている。ここでは、メス端子２３ａには配線していない。
オス端子囲繞導体３７と、それに対応するメス端子囲繞導体４０とは、断面視が同形状に形成されている。
【手続補正８】
【補正対象書類名】明細書
【補正対象項目名】００３７
【補正方法】変更
【補正の内容】
【００３７】
このような構成のコネクタ及び電線ユニットでは、先端部がピン形状の各メス端子３８は、筒形状の各オス端子３５とそれぞれ嵌合して接続する。この際、対応するオス端子囲繞導体３７及びメス端子囲繞導体４０もそれぞれ接続され、オス端子３５の対及びメス端子３８の対は、オス端子囲繞導体３７、メス端子囲繞導体４０により囲繞される。
これにより、電線ユニットのコネクタ部分において、特性インピーダンスが大きく変化せず、クロストーク特性およびノーマル・コモン変換特性が悪化せず、外乱ノイズに対する耐性が高くなる。
【手続補正９】
【補正対象書類名】明細書
【補正対象項目名】００３９
【補正方法】変更
【補正の内容】
【００３９】
１，１１，３２  メスコネクタ（第１コネクタ又は第２コネクタ）
２，１２，３１  オスコネクタ（第２コネクタ又は第１コネクタ）
３，４，１３，１４，３３，３４  ハウジング
４ａ，１４ａ  凹部
５，１５，２１，２３ａ，３８  メス端子（第１端子又は第２端子）
６，９，１６，１９，３６，３９  ツイストペア線
７，７ａ，１７，１７ａ，４０  メス端子囲繞導体（第１端子囲繞導体又は第２端子囲繞導体）
８，１８，２１ａ，２３，３５  オス端子（第２端子又は第１端子）
１０，２０，３７  オス端子囲繞導体（第２端子囲繞導体又は第１端子囲繞導体）
２２，２４  一般電線
ｃ，ｄ  間隔
【手続補正１０】
【補正対象書類名】図面
【補正対象項目名】図７
【補正方法】変更
【補正の内容】
【図７】
2016115625.tif 000001
【手続補正１１】
【補正対象書類名】図面
【補正対象項目名】図８
【補正方法】変更
【補正の内容】
【図８】
2016115625.tif 000002
【手続補正１２】
【補正対象書類名】図面
【補正対象項目名】図９
【補正方法】変更
【補正の内容】
【図９】
2016115625.tif 000003